(57)【特許請求の範囲】
【請求項１】
品物の重量を計量して計量値データを出力する計量部を有し、その計量値データに基づいて計量された品物の金額を算出する電子秤装置において、
前記計量部を挟んだ装置両側にそれぞれ設けられ、画像情報を表示する表示部を有する複数の表示装置と、
前記計量部での計量対象となる品物の載置面に対して略平行な位置に前記表示部を位置付けた水平位置と当該表示部を前記載置面に対して下方に移動させた位置との間で前記各表示装置をそれぞれ位置移動可能に支持するとともに、前記水平位置と前記表示部を前記載置面に対して上方に移動させた位置との間でも前記表示装置を位置移動可能に支持するチルト機構と、
前記チルト機構によって前記各表示装置を両方とも前記水平位置に位置付けた場合、動作モードを通常モードとし、前記各表示装置にはそれぞれ所定の通常画面を表示し、前記チルト機構によって前記表示装置を前記載置面に対して上方に移動させて当該表示装置を略垂直な位置に位置付けた場合、動作モードをセルフモードに切り替え、略垂直な位置に位置付けられた前記表示装置の前記表示部に表示される画像情報の上下方向を逆転させる動作モード切替手段と、
を備えることを特徴とする電子秤装置。
【請求項２】
前記チルト機構によって前記各表示装置の前記表示部をそれぞれ前記水平位置に位置付けた場合、前記各表示装置の前記表示部は、前記載置面に対して下方に位置する、
ことを特徴とする請求項１記載の電子秤装置。
【発明の詳細な説明】
【技術分野】
【０００１】
本発明の実施形態は、電子秤装置に関する。
【背景技術】
【０００２】
従来、品物の重量を計量する電子秤装置として、ある品物を計量した場合にその計量値に基づいて計量した品物の金額を算出するようにした電子秤装置がある。このような電子秤装置は、例えば、スーパーマーケットの惣菜部門等において利用されている。電子秤装置は、金額を算出することができる品物についてＰＬＵファイル（Price  Look  Up  File）を備え、このＰＬＵファイル中の単価と計量値との積算によって計量された品物の金額を算出する。
【０００３】
このような電子秤装置は、本体ハウジングの前面（オペレータ側）に設けられた表示部と背面（客側）に設けられた表示部とに情報をそれぞれ表示することができる。そのため、電子秤装置は、例えば、ショーケースを介して惣菜等を秤売りするような運用を行っている店舗において、ショーケースの上に載置されて使用される。
【０００４】
ところで、このような電子秤装置は、オペレータの腰位置ほどの低いショーケース等に置いて使用される場合も想定される。この場合、オペレータ側の表示部はチルトできるのでオペレータは表示内容を確認することができる。一方、客側の表示部は設置面に対して略垂直に設けられているので、客は表示内容を確認しにくいという問題がある。
【発明の概要】
【発明が解決しようとする課題】
【０００５】
本発明が解決しようとする課題は、操作性を向上させることができる電子秤装置を提供することである。
【課題を解決するための手段】
【０００６】
実施形態の電子秤装置は、品物の重量を計量して計量値データを出力する計量部を有し、その計量値データに基づいて計量された品物の金額を算出する電子秤装置において、前記計量部を挟んだ装置両側にそれぞれ設けられ、画像情報を表示する表示部を有する複数の表示装置と、前記計量部での計量対象となる品物の載置面に対して略平行な位置に前記表示部を位置付けた水平位置と当該表示部を前記載置面に対して下方に移動させた位置との間で前記各表示装置をそれぞれ位置移動可能に支持するとともに、前記水平位置と前記表示部を前記載置面に対して上方に移動させた位置との間でも前記表示装置を位置移動可能に支持するチルト機構と、前記チルト機構によって前記各表示装置を両方とも前記水平位置に位置付けた場合、動作モードを通常モードとし、前記各表示装置にはそれぞれ所定の通常画面を表示し、前記チルト機構によって前記表示装置を前記載置面に対して上方に移動させて当該表示装置を略垂直な位置に位置付けた場合、動作モードをセルフモードに切り替え、略垂直な位置に位置付けられた前記表示装置の前記表示部に表示される画像情報の上下方向を逆転させる動作モード切替手段と、を備える。
【図面の簡単な説明】
【０００７】
【図１】図１は、実施形態にかかる電子秤装置をオペレータ側から示す外観斜視図である。
【図２】図２は、電子秤装置をオペレータ側から示す外観斜視図である。
【図３】図３は、電子秤装置をオペレータ側から示す外観斜視図である。
【図４】図４は、チルト機構を示す斜視図である。
【図５】図５は、チルト機構を示す正面断面図である。
【図６】図６は、位置移動するディスプレイを示す模式図である。
【図７】図７は、電子秤装置に内蔵される各部の電気的接続を示すブロック図である。
【図８】図８は、ＰＬＵファイルの内容を概念的に示す模式図である。
【図９】図９は、品物情報ファイルの内容を概念的に示す模式図である。
【図１０】図１０は、電子秤装置における画面表示処理にかかる機能ブロック図である。
【図１１】図１１は、電子秤装置における画面表示処理の流れを示すフローチャートである。
【図１２】図１２は、オペレータ側のディスプレイに表示される通常画面の一例を示す正面図である。
【図１３】図１３は、客側のディスプレイに表示される通常画面の一例を示す正面図である。
【図１４】図１４は、客側のディスプレイに表示されるセルフ用の画面の一例を示す正面図である。
【発明を実施するための形態】
【０００８】
本実施形態は、例えば店員であるオペレータと客とがショーケースを介して対面し、ショーケース内に陳列されている惣菜や肉等を秤売りする惣菜店や精肉店において、ショーケースの上に載置して使用する対面用の電子秤装置への適用例を示す。
【０００９】
ここで、図１は実施形態にかかる電子秤装置１をオペレータ側から示す外観斜視図である。図１に示すように、この電子秤装置１は、扁平筐体状のハウジング２の上面全体に重量が測定される商品が載置される載置面である秤皿３を有し、オペレータ側の正面左側にタッチパネル４を備えた表示装置であるディスプレイ５（タッチパネル付き表示装置）を有している。
【００１０】
ディスプレイ５は、薄型のＬＣＤ（Liquid  Crystal  Display）や有機ＥＬ（Electro-Luminescence）を表示部５ａとして構成されている。また、ディスプレイ５には、キーボード部６も設けられている。なお、ハウジング２の内部であって秤皿３の下方位置には、品物の重量を電気的信号として出力する計量部として機能するロードセルユニット１６（図７参照）が設けられている。
【００１１】
一方、電子秤装置１には、図１に示すように、オペレータ側と同様に客側にもタッチパネル８を備えた表示装置であるディスプレイ９（タッチパネル付き表示装置）が設けられている。ディスプレイ９も、薄型のＬＣＤや有機ＥＬを表示部９ａとして構成されている。したがって、計量部として機能するロードセルユニット１６を挟んだ装置両側にタッチパネル４を備えたディスプレイ５と、タッチパネル８を備えたディスプレイ９が設けられていることになる。
【００１２】
また、ディスプレイ５およびディスプレイ９は、ハウジング２に対して上端部を軸として上下方向に傾け可能（チルト可能）に設けられている。
【００１３】
例えば、ディスプレイ５は、図１に示す状態から、ディスプレイ５を下方に傾けてその下縁をハウジング２の下面よりも下方に延出させることが可能である。これは、ハウジング２の設置部７を例えば図示しないショーケースの上面に載置して電子秤装置１を設置し、ディスプレイ５をショーケースの上面よりも下方に位置付けるような使用態様を考慮しての構造である。
【００１４】
また、ディスプレイ５は、図２に示すように、図１に示す状態から上方に傾けられることで、秤皿３に対して略平行な位置に位置付けられることが可能である。同様に、ディスプレイ９も、図２に示すように、図１に示す状態から上方に傾けられることで、秤皿３に対して略平行な位置に位置付けられることが可能である。これにより、オペレータの腰位置ほどの低いショーケース等に電子秤装置１を置いた場合であっても、オペレータおよび客は、ディスプレイ５およびディスプレイ９の表示内容を確認することができる。
【００１５】
なお、上述のようにディスプレイ５およびディスプレイ９を秤皿３に対して略平行な位置、すなわち略水平面に位置付けた場合、ディスプレイ５およびディスプレイ９は秤皿３に対して５ｍｍほど下方に位置する。このように構成するのは、秤皿３からはみ出す大きさの物体を計量する場合、当該物体がディスプレイ５およびディスプレイ９上に乗り上げてしまうことで正確な計量ができなくなる事態を回避するためである。
【００１６】
また、ディスプレイ９は、図３に示すように、図１に示す状態から上方に傾けられることで、秤皿３に対して略垂直な位置に位置付けられることが可能である。このようにディスプレイ９を秤皿３に対して略垂直な位置に位置付けることにより、電子秤装置１は、店頭にてセルフ秤としての使用も可能になる。
【００１７】
ここで、ハウジング２に対するディスプレイ５およびディスプレイ９のチルト機構について説明する。ここで、図４はチルト機構７０１を示す斜視図、図５はチルト機構７０１を示す正面断面図、図６は位置移動するディスプレイ９を示す模式図である。図５では、電子秤装置１を客側上方から見て右側に位置する一方のチルト機構７０１のみ示している。なお、図４ないし図６では、客側のディスプレイ９のチルト機構について説明するが、オペレータ側のディスプレイ５についても同一のチルト機構である。
【００１８】
図４に示すように、ディスプレイ９のハウジング９ｂの下端部分には、ディスプレイ９の一部であって表示部９ａと平行な平面状の固定板４１１が内蔵されている。固定板４１１は、ハウジング９ｂに対してネジ（図示せず）によって位置固定されている。固定板４１１の表示部９ａ側から見て右側には、側面板４１２ａが設けられている。同様に、固定板４１１の表示部９ａから見て左側には、側面板４１２ｂが設けられている。側面板４１２ａ、４１２ｂは、それぞれ固定板４１１に対して直角をなしている。側面板４１２ａの外側の面には、側方に延出した支持軸４１３ａが一体に設けられている（図５、図６等参照）。
【００１９】
側面板４１２ｂの外側の面には、側方に延出した支持軸４１３ｂ（図６等参照）が一体に設けられている。支持軸４１３ａと４１３ｂとは、互いに同心であり、表示部９ａと面方向と平行な軸方向を有する。以下、支持軸４１３ａと支持軸４１３ｂとを併せて支持軸４１３と称することがある。なお、支持軸４１３ａ、４１３ｂは、それぞれ、側面板４１２ａ、４１２ｂよりも固定板４１１側に突出している。支持軸４１３ａ、４１３ｂの突出部分を覆うキャップ４１５ａ、４１５ｂが側面板４１２ａ、４１２ｂには取り付けられている。ハウジング２について、表示部９ａ側から見て右側部分の上面には、軸支持部４１４ａが固定されている。同様に、表示部９ａ側から見て左側部分の上面には、軸支持部４１４ｂが固定されている。軸支持部４１４ａ、４１４ｂは、それぞれ支持軸４１３ａ、４１３ｂを回動自在に保持している。したがって、ディスプレイ９は、図４に示すような表示部９ａが垂直な垂直位置と、表示部９ａが矢印Ｃの方向、または矢印Ｄの方向に位置移動した傾斜位置（図６）とに位置移動自在に支持されている。なお、ハウジング２には、ストッパ（図示せず）が設けられている。ストッパは、ディスプレイ９のハウジング９ｂに当接することでディスプレイ９の位置移動を規制し、ディスプレイ９を傾斜位置に位置付ける。つまり、固定板４１１、側面板４１２ａ、４１２ｂ、支持軸４１３ａ、４１３ｂ、軸支持部４１４ａ、４１４ｂ、及びストッパは、支持機構４０１を構成する。
【００２０】
側面板４１２ａの表示部９ａ側から見て右側には、弾性部材としてトーションバネ５１１ａが設けられている。また、側面板４１２ｂの表示部９ａ側から見て左側には、弾性部材としてトーションバネ５１１ｂが設けられている。トーションバネ５１１ａは、その両端部分として側方に延びたアーム５２１ａと上方に延びたアーム５２２ａとを有する。アーム５２１ａとアーム５２２ａとを近づけさせて閉状態にすることによりトーションバネ５１１ａは反発力を蓄積し、閉状態の解除によりトーションバネ５１１ａは開状態へと復元する。トーションバネ５１１ｂについても、トーションバネ５１１ａと同様の構造である。以下、トーションバネ５１１ａとトーションバネ５１１ｂとを併せてトーションバネ５１１と称することがある。
【００２１】
ディスプレイ９が水平位置に位置付けられている状態において、表示部９ａ側から見て右側のトーションバネ５１１ａは、その内径の中心である開閉中心が支持軸４１３ａ（図５参照）と同心上となるように設けられている。トーションバネ５１１ａは、アーム５２２ａが矢印Ｃの方向に閉じる向きで設けられている。アーム５２１ａは、軸支持部４１４ａの一部であるアーム保持部５１２ａによって保持されている。アーム押圧部５１３ａは、側面板４１２ａに対して表示部９ａ側に設けられている。図５に示すように、ディスプレイ９が水平位置に位置付けられている場合、アーム５２２ａとアーム押圧部５１３ａとは当接している。
【００２２】
なお、ディスプレイ９が水平位置に位置付けられている状態において、表示部９ａ側から見て左側についても同様であり、その説明は省略する。
【００２３】
ディスプレイ９が水平位置から矢印Ｃ方向の傾斜位置に位置移動することにより、表示部９ａ側から見て右側のトーションバネ５１１ａのアーム５２２ａはアーム押圧部５１３ａによって押圧されて矢印Ｃ方向に閉じ、トーションバネ５１１ａは反発力を蓄積する。蓄積される反発力によって表示部９ａは、水平位置から傾斜位置に向かう方向に押圧される。ここに、押圧機構５０１が実現されている。このとき、アーム押圧部（図示せず）とトーションバネ５１１ｂのアーム（図示せず）との当接は解除される。つまり、トーションバネ５１１ｂのアーム（図示せず）には何ら押圧力は付与されずその位置は不変であり、トーションバネ５１１ｂに反発力は蓄積されない。
【００２４】
また、ディスプレイ９が水平位置から矢印Ｄ方向の垂直位置に位置移動することにより、アーム押圧部５１３ａとアーム５２２ａとの当接は解除される。つまり、トーションバネ５１１ａのアーム５２２ａには何ら押圧力は付与されずその位置は不変であり、トーションバネ５１１ａに反発力は蓄積されない。一方で、このとき、表示部９ａ側から見て左側のトーションバネ５１１ｂのアーム（図示せず）はアーム押圧部（図示せず）によって押圧されて矢印Ｄ方向に閉じ、トーションバネ５１１ｂは反発力を蓄積する。蓄積される反発力によってディスプレイ９は、垂直位置から水平位置に向かう方向に押圧される。ここに、押圧機構５０１が実現されている。
【００２５】
これにより、ディスプレイ９は、垂直位置と傾斜位置との間の任意の位置で位置保持が可能である。このような位置保持は、位置保持機構６０１（図５参照）によって実現される。支持機構４０１と押圧機構５０１と位置保持機構６０１とは、チルト機構７０１を構成する。
【００２６】
図５に示すように、支持機構４０１が有する軸支持部４１４ａは、固定板４１１の方向に向けて開口した中空の筒部４４１ａを主体に構成されている。筒部４４１ａの中空部分は、開口側の第１の中空部４４２ａと、筒部４４１ａの内周面に形成された弁４４３ａによって第１の中空部４４２ａと区切られた第２の中空部４４４ａと、から構成されている。側面板４１２ａから延出した支持軸４１３ａの先端には、筒部４４１ａの内周（第２の中空部４４４ａ）よりわずかに径の小さい円盤部４４５ａが支持軸４１３ａと一体に設けられている。円盤部４４５ａは、第２の中空部４４４ａに収納されている。円盤部４４５ａは、弁４４３ａと当接することによって第１の中空部４４２ａへの移動が規制されている。円盤部４４５ａは、後述する第１の板バネ６１１ａと第２の板バネ６１２ａとによって弁４４３ａに対して押圧されている。このようにして、支持軸４１３ａは軸支持部４１４ａに支持されている。電子秤装置１を正面側から見て左側に位置する支持機構４０１についても同様の構成を有する。
【００２７】
押圧機構５０１が有するトーションバネ５１１ａは、軸支持部４１４ａの筒部４４１ａに巻き付けられている。アーム５２２ａは、トーションバネ５１１ａの巻き付け方向に沿った方向を有している。アーム５２１ａは、その先端部分がトーションバネ５１１ａの巻き付け方向からＬ字状に屈曲している。軸支持部４１４ａの一部であるアーム保持部５１２ａには、支持軸４１３ａの軸方向に貫通したアーム穴５４１ａが形成されている。Ｌ字状に屈曲したアーム５２１ａは、アーム穴５４１ａに差し込まれている。このようにして、アーム５２１ａは、アーム保持部５１２ａに保持されている。電子秤装置１を正面側から見て左側に位置する押圧機構５０１についても同様の構成を有する。
【００２８】
位置保持機構６０１は、第２の中空部４４４ａの中に、第１の接触部材として弧状に湾曲した第１の板バネ６１１ａと、第２の接触部材として弧状に湾曲した第２の板バネ６１２ａとを有している。第１の板バネ６１１ａと第２の板バネ６１２ａとは共に弾性を有する。第１の板バネ６１１ａと第２の板バネ６１２ａとは対面配置されて湾曲部分で互いに当接している。第１の板バネ６１１ａの両端部分は、表示部９ａの一部でもある円盤部４４５ａに当接している。第２の板バネ６１２ａの両端部分は、筒部４４１ａに当接している。第２の板バネ６１２ａは、第１の板バネ６１１ａを支持軸４１３ａの軸方向に押圧している。この押圧によって、第１の板バネ６１１ａと第２の板バネ６１２ａとの間には、接触摩擦が発生する。この発生する接触摩擦によって、表示部９ａは、垂直位置と傾斜位置との間の任意の位置に位置保持される。ここに、位置保持機構６０１が実現されている。電子秤装置１を正面側から見て左側に位置する位置保持機構６０１についても同様の構成を有する。
【００２９】
そして、図６に示すように、ディスプレイ９は、支持軸４１３（支持軸４１３ａ、４１３ｂ）を中心にして位置移動し、任意の位置で位置保持される。
【００３０】
次に、電子秤装置１に内蔵される各部の電気的接続について図７を参照して説明する。図７に示すように、電子秤装置１には、各種演算処理等を実行して各部を集中的に制御するＣＰＵ（Central  Processing  Unit）１０が設けられている。このＣＰＵ１０には、固定データを格納するFlashＲＯＭ（Read  Only  Memory）１１と、可変データを書換え自在に格納してワークエリア等として利用されるＲＡＭ（Random  Access  Memory）１２とがシステムバス１３を介して接続されている。FlashＲＯＭ１１には、制御プログラムや後述する各種のファイルが格納されている。
【００３１】
なお、電子秤装置１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３２】
また、電子秤装置１で実行される制御プログラムを、インターネット等のネットワークに接続されたコンピュータ上に格納し、ネットワーク経由でダウンロードさせることにより提供するように構成しても良い。また、電子秤装置１で実行される制御プログラムをインターネット等のネットワーク経由で提供または配布するように構成しても良い。
【００３３】
また、ＣＰＵ１０には、システムバス１３を介してＩ／Ｏポート１４が接続され、このＩ／Ｏポート１４にはＡ／Ｄ変換部１５を介してロードセルユニット１６が接続されている。このロードセルユニット１６は、ロードセル等によって構成され、秤皿３に載置された品物の重量を計量して計量値データを出力する構造のものである。このようなロードセルユニット１６からの出力はアナログ出力であり、このアナログ出力はＡ／Ｄ変換部１５でデジタルデータに変換されてＩ／Ｏポート１４に入力される。そこで、ＣＰＵ１０は、Ｉ／Ｏポート１４に入力されたロードセルユニット１６からの出力データに基づいて、FlashＲＯＭ１１に格納された制御プログラムやファイル等を参照し、ＲＡＭ１２をワークエリアとして使用して、秤皿３に載置された品物の重量を演算によって求めることができる。
【００３４】
加えて、ＣＰＵ１０には、キーボード部６を駆動制御するためのキーボードコントローラ１８、ディスプレイ５を駆動制御するディスプレイコントローラ１９、ディスプレイ９を駆動制御するディスプレイコントローラ２０、タッチパネル４を駆動制御するタッチパネルコントローラ２１、及び、タッチパネル８を駆動制御するタッチパネルコントローラ２２もシステムバス１３を介して接続されている。
【００３５】
ＣＰＵ１０は、ＲＡＭ１２として設けられた画像メモリを利用しつつ、FlashＲＯＭ１１に記憶されていたり画像メモリで合成されたりするイメージ画像データに基づいてディスプレイコントローラ１９，２０を駆動制御する。これにより、ディスプレイ５，９がマトリクス状に備える多数個の液晶シャッタが選択的に開閉駆動され、ディスプレイ５，９にイメージ画像データに基づく画像が表示出力されることになる。
【００３６】
さらに、ＣＰＵ１０は、タッチパネルコントローラ２１，２２を駆動制御し、操作者によりタッチされたタッチパネル４，８上のＸＹ座標の位置を認識して座標データ取得する。これにより、ディスプレイ５，９に表示されるボタン等とタッチパネル４，８の座標との位置関係の同期をとることによって、タッチパネル４とディスプレイ５との組合せ、及び、タッチパネル８とディスプレイ９との組合せは、キーボードと同様の機能を奏することになる。
【００３７】
さらに、ＣＰＵ１０は、ディスプレイ９が秤皿３に対して略垂直な位置に位置付けられたことを検知する検知部１７に、システムバス１３を介して接続されている。検知部１７は、例えばマイクロスイッチである。なお、検知部１７としては、透過型センサや加速度センサを適用するようにしても良い。
【００３８】
次に、FlashＲＯＭ１１に格納されている各種のファイルについて説明する。図８はＰＬＵ（Price  Look  Up）ファイルの内容を概念的に示す模式図、図９は品物情報ファイルの内容を概念的に示す模式図である。FlashＲＯＭ１１は、記憶部として機能して各種のファイルを書換え自在かつ記憶保持可能な状態で格納する。このようなFlashＲＯＭ１１に格納されるファイルの一部として、本実施の形態では、ＰＬＵファイル１０１及び品物情報ファイル２０１を備える。
【００３９】
図８に示すＰＬＵファイル１０１は、概念的には、品物である商品の品番１１１毎に、商品コード１１２、品名１１３、単価１１４、後述するオペレータ側のディスプレイ５に表示されるＰＬＵキーＡ（図１２参照）の位置決めのためのキーナンバー１１５、及び、後述する客側のディスプレイ９に表示されるＰＬＵキーＤ（図１４参照）の位置決めのためのキーナンバー１１６という各種の情報を対応付けて格納するファイルである。つまり、ＰＬＵファイル１０１は、少なくとも、品物を特定するための品物特定データとして機能する品番１１１とその品物の単位重量当たりの単価１１４とを対応付けて記憶するファイル構造を備えている。
【００４０】
図９に示す品物情報ファイル２０１は、概念的には、品番２１１毎に、イメージ画像データ２１２を対応付けて格納するファイルである。つまり、品物情報ファイル２０１は、品物を特定するための品物特定データとして機能する品番２１１とその品物を認識させる品物情報として機能するイメージ画像データ２１２とを対応付けて記憶するファイル構造を備えている。ここで、品番２１１は、ＰＬＵファイル１０１の品番１１１に対応する。例えば、ＰＬＵファイル１０１中の品番１１１「０００１」と品物情報ファイル２０１中の品番２１１「０００１」とは、共に、商品Ａという品物を特定している。そこで、ＰＬＵファイル１０１では、「０００１」という品番１１１に対応させて「商品Ａ」という品名１１３やその単価１１４等が格納されているのに対し、品物情報ファイル２０１では、「０００１」という品番２１１に対応させて「商品Ａ」のイメージ画像データ２１２が格納されている。このようなイメージ画像データ２１２の内容は、例えば、商品Ａ等の品物に関するデジタル写真データ、イラスト、絵画等、その品物を視覚的に認識可能なものに関するデジタルデータである。
【００４１】
次いで、FlashＲＯＭ１１に記憶された制御プログラムに従いＣＰＵ１０が実行する処理について説明する。なお、本実施の形態においては、従来の電子秤装置によって行なわれる処理と同様の処理についてはその説明を省略する。ここでは、画面表示処理について説明する。
【００４２】
ここで、図１０は電子秤装置１における画面表示処理にかかる機能ブロック図である。図１０に示すように、電子秤装置１で実行される制御プログラムは、動作モード切替手段２３を含むモジュール構成となっている。ＣＰＵ１０は、FlashＲＯＭ１１から制御プログラムを読み出して、上記各部をＲＡＭ１２にロードする。これにより、動作モード切替手段２３がＲＡＭ１２上に生成される。
【００４３】
動作モード切替手段２３は、検知部１７により客側のディスプレイ９が所定位置（秤皿３に対して略垂直な位置）に位置付けられたことを検知した場合、動作モードをセルフモードに切り替える。具体的には、動作モード切替手段２３は、動作モードをセルフモードに切り替えた場合、所定位置（秤皿３に対して略垂直な位置）に位置付けられた客側のディスプレイ９の表示部９ａに表示される画像情報の上下方向を逆転させる。
【００４４】
図１１は、電子秤装置１における画面表示処理の流れを示すフローチャートである。
【００４５】
図１１に示すように、電子秤装置１のＣＰＵ１０は、電源投入後、客側のディスプレイ９が秤皿３に対して略垂直な位置に位置付けられていない場合には（ステップＳ１のＮｏ）、動作モードを通常モードとし、オペレータ側のディスプレイ５及び客側のディスプレイ９にそれぞれ所定の通常画面を表示する（ステップＳ２）。
【００４６】
ここで、図１２はオペレータ側のディスプレイ５に表示される通常画面の一例を示す正面図である。図１２に示すように、オペレータ側のディスプレイ５に表示される画面には、商品販売処理時にＰＬＵ（Price  Look  Up）を指定するためのＰＬＵキーＡ、部門キーＢ、商品コードや金額等を入力するための「０」から「９」までの置数キーＣ等が表示されており、タッチパネル４を介すことによりそれぞれがキーボードのキーと同様の機能を有するタッチキーＫ１として機能する。なお、ＰＬＵキーＡは、ＰＬＵファイル１０１のＰＬＵキーＡの位置決めのためのキーナンバー１１５に基づいて決定され、対応するＰＬＵファイル１０１の品名１１３が表示されている。
【００４７】
ここで、図１３は客側のディスプレイ９に表示される通常画面の一例を示す正面図である。図１３に示すように、客側のディスプレイ９に表示される通常画面には、図１２に示したオペレータ側のディスプレイ５に表示される画面で選択操作された購入希望商品が拡大表示されることにより、客の購入意思がオペレータに伝わったことが客側で確認できる。
【００４８】
一方、客側のディスプレイ９が秤皿３に対して略垂直な位置に位置付けられていることが検知部１７にて検知された場合には（ステップＳ１のＹｅｓ）、電子秤装置１のＣＰＵ１０（動作モード切替手段２３）は、動作モードをセルフモードに切り替え、客側のディスプレイ９に表示される画面をセルフ用の画面に切り替える（ステップＳ３）。
【００４９】
また、図１４は客側のディスプレイ９に表示されるセルフ用の画面の一例を示す正面図である。図１４に示すように、客側のディスプレイ９に表示されるセルフ用の画面には、商品販売処理時にＰＬＵを指定するためのＰＬＵキーＤ等が表示されており、タッチパネル８を介すことによりそれぞれがキーボードのキーと同様の機能を有するタッチキーＫ２として機能する。なお、ＰＬＵキーＤは、ＰＬＵファイル１０１のＰＬＵキーＤの位置決めのためのキーナンバー１１６に基づいて決定され、対応するＰＬＵファイル１０１の品名１１３及び対応する品物情報ファイル２０１のイメージ画像データ２１２が表示されている。また、客側のディスプレイ９に表示されるＰＬＵキーＤの配列は、当該電子秤装置１が載置されるショーケースにおける商品の陳列レイアウトと同様の配置とされている。
【００５０】
なお、ステップＳ３において電子秤装置１のＣＰＵ１０は、図１４に示すセルフ用の画面に表示される画像情報について、図１３に示す通常画面とは表示の上下方向を逆転させている。
【００５１】
このように、本実施形態の電子秤装置１によれば、ロードセルユニット１６を挟んだ装置両側にそれぞれ設けられたディスプレイ５，９を、チルト機構７０１により計量対象となる品物の秤皿３に対して略平行な位置にディスプレイ５，９の表示部５ａ，９ａを位置付けた水平位置と当該表示部５ａ，９ａを秤皿３に対して下方に移動させた位置との間でそれぞれ位置移動可能に支持する。これにより、オペレータ側のディスプレイ５と客側のディスプレイ９との両方とも水平位置に位置付けることで、オペレータの腰位置ほどの低いショーケース等に置いて使用した場合でも、オペレータ側および客側の何れからでも表示内容を確認することができ、操作性を向上させることができる。
【００５２】
さらに、チルト機構７０１は、表示部５ａ，９ａを秤皿３に対して略平行な位置に位置付けた水平位置と当該表示部５ａ，９ａを秤皿３に対して上方に移動させた位置との間でもディスプレイ５，９を位置移動可能に支持することにより、客側のディスプレイ９についてはさらに水平位置から上方に傾けて秤皿３に対して略垂直な位置に位置付けることにより、電子秤装置１を店頭にてセルフ秤として使用することが可能になる。この場合、客側のディスプレイ９が秤皿３に対して略垂直な位置に位置付けられたことを検知部１７により検知した場合、動作モード切替手段２３により動作モードをセルフモードに切り替えて客側のディスプレイ９に表示される画像情報の上下方向を逆転させる。これにより、店頭にてセルフ秤として使用するような場合、選んだ物等の表示や大型のキーボード等を客側のディスプレイ９に表示させることで、操作性を向上させることができる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１        電子秤装置
５，９    表示装置
１６      計量部
１７      検知部
２３      動作モード切替手段
７０１    チルト機構
【先行技術文献】
【特許文献】
【００５５】
【特許文献１】特開２００２−２１４０２８号公報
【図１】
0005847141.tif 000002
【図２】
0005847141.tif 000003
【図３】
0005847141.tif 000004
【図４】
0005847141.tif 000005
【図５】
0005847141.tif 000006
【図６】
0005847141.tif 000007
【図７】
0005847141.tif 000008
【図８】
0005847141.tif 000009
【図９】
0005847141.tif 000010
【図１０】
0005847141.tif 000011
【図１１】
0005847141.tif 000012
【図１２】
0005847141.tif 000013
【図１３】
0005847141.tif 000014
【図１４】
0005847141.tif 000015